(57)【特許請求の範囲】
【請求項１】
吐出ポートを有するポンプハウジングと、前記ポンプハウジング内に回転可能に支持されたシャフトと、前記シャフトの軸方向に対して同一面内にて放射状に前記ポンプハウジング内に配設されるとともに前記シャフトの回転により往復運動することにより作動流体を吸込み前記吐出ポートへ吐出する複数のプランジャを有し、吐出された作動流体を蓄圧可能なアキュムレータが設けられるラジアルプランジャポンプにおいて、前記吐出ポートは、前記複数のプランジャの配置面上に設けられ、前記アキュムレータは、前記複数のプランジャの一つと同軸上に配設されており、前記吐出ポートは、前記アキュムレータが配設される孔に対して、前記複数のプランジャの配置面上に設けられる通路を介して接続されることを特徴とするラジアルプランジャポンプ。
【請求項２】
請求項１において、前記吐出ポートは、前記アキュムレータが配設される孔に対して、前記複数のプランジャの配置面上に設けられる通路を介して接続されることを特徴とするラジアルプランジャポンプ。
【請求項３】
吐出ポートを有するポンプハウジングと、前記ポンプハウジング内に回転可能に支持されたシャフトと、前記シャフトの軸方向に対して同一面内にて放射状に前記ポンプハウジング内に配設されるとともに前記シャフトの回転により往復運動することにより作動流体を吸込み前記吐出ポートへ吐出する複数のプランジャを有し、吐出された作動流体を蓄圧可能なアキュムレータが設けられるラジアルプランジャポンプにおいて、前記吐出ポートは、前記複数のプランジャの配置面上に設けられ、前記アキュムレータは、前記複数のプランジャの一つと同軸上に前記ポンプハウジングに配設されており、前記プランジャは前記ポンプハウジングとは別体のシリンダ内に収容されており、前記一つのプランジャを収容する前記シリンダの軸方向の前記ポンプハウジングに対する固定は、前記アキュムレータの前記ポンプハウジングへの取り付けポート部の端面を利用して行なわれることを特徴とするラジアルプランジャポンプ。
【請求項４】
請求項１〜３のいずれか一項において、前記複数のプランジャの各々の吐出側同士を連通する連通路も、前記複数のプランジャの配置面上に設けられていることを特徴とするラジアルプランジャポンプ。
【発明の詳細な説明】
【０００１】
【発明の属する技術分野】
本発明は、シャフトの軸方向に対して同一面内にて放射状に配設された複数のプランジャを有するラジアルプランジャポンプに関し、特に、そのポンプ全体としてのシャフトの軸方向の長さの短縮化に関する。
【０００２】
【従来の技術】
従来より、例えば特開平５−１８７３４９号公報等に記載されているように、吐出ポートを有するポンプハウジングと、ポンプハウジング内に回転可能に支持されたシャフトと、シャフトの軸方向に対して同一面内にて放射状にポンプハウジング内に配設されるとともにシャフトの回転により往復運動することにより作動流体を吸込み吐出ポートへ吐出する複数のプランジャを有するラジアルプランジャポンプが知られている。
【０００３】
【発明が解決しようとする課題】
ところで、複数のプランジャを有するラジアルプランジャポンプの場合には、ポンプハウジング内の吐出経路において、各々のプランジャの吐出側通路を一つにまとめた後に吐出ポートにつなげる必要がある。このとき、上記文献に記載のラジアルプランジャポンプにおいては、各々のプランジャの吐出側通路をまとめた後に一旦シャフトの軸方向へ通路を延ばしてから吐出ポートへ連通させるという吐出経路を有しているので、ポンプハウジングにおいて、複数のプランジャの配置面からシャフトの軸方向へ所定距離だけオフセットした位置に吐出ポートが配設されている。
【０００４】
従って、上記文献に記載のものでは、かかるオフセット分だけ、ポンプ（ポンプハウジング）のシャフトの軸方向の長さが長くなってしまうとともに、ポンプハウジング内での吐出経路の構成が複雑化するという問題があった。
【０００５】
本発明は、上記課題を解決するためになされたものであり、ポンプハウジングにおけるシャフトの軸方向の長さを短縮可能であり、吐出経路の構成を簡素化可能なラジアルプランジャポンプを提供することを目的とするものである。
【０００６】
【課題を解決するための手段】
上記課題を解決するため、本発明は、吐出ポートを有するポンプハウジングと、ポンプハウジング内に回転可能に支持されたシャフトと、シャフトの軸方向に対して同一面内にて放射状に前記ポンプハウジング内に配設されるとともにシャフトの回転により往復運動することにより作動流体を吸込み前記吐出ポートへ吐出する複数のプランジャを有し、吐出された作動流体を蓄圧可能なアキュムレータが設けられるラジアルプランジャポンプにおいて、吐出ポートは、複数のプランジャの配置面上に設けられ、アキュムレータは、複数のプランジャの一つと同軸上に配設されており、前記吐出ポートは、前記アキュムレータが配設される孔に対して、前記複数のプランジャの配置面上に設けられる通路を介して接続されることを特徴とするラジアルプランジャポンプとした。
【０００７】
本発明によれば、吐出ポートは、複数のプランジャの配置面上に設けられているので、前述した従来技術のように、複数のプランジャの配置面と吐出ポートとのオフセット分だけ、ポンプハウジングのシャフトの軸方向の長さが長くなってしまうということがなくなり、かかるオフセット分だけポンプハウジングのシャフトの軸方向の長さを短縮化することができる。また、本発明によれば、吐出経路の一部をシャフトの軸方向へ延ばす必要がなくなるので、ポンプハウジング内での吐出経路の構成を簡素化することができる。
【０００８】
より好ましくは、複数のプランジャの各々の吐出側同士を連通する連通路も、複数のプランジャの配置面上に設けることが望ましい。これにより、吐出経路の全てを、プランジャの配置面上にて構成することができるので、より一層吐出経路の構成を簡素化することが可能となる。
【０００９】
また、かかるラジアルプランジャポンプを車両用ブレーキ制御の圧力源として使用する場合等においては、吐出経路において、吐出された作動流体を蓄圧可能なアキュムレータが設けられることがある。この場合には、アキュムレータは、複数のプランジャの一つと同軸上にポンプハウジングに配設するのがよい。これにより、アキュムレータもプランジャの配置面上に構成されることになり、アキュムレータを配設することによりポンプハウジングのシャフトの軸方向の長さが長くなることがない。また、ポンプハウジングにプランジャを配設するためには、通常、ポンプハウジングにおいて外側に向けて開口したプランジャ配設用の孔を設ける必要がある。従って、アキュムレータを複数のプランジャの一つと同軸上にポンプハウジングに配設することにより、アキュムレータのポンプハウジングへの取り付けに際し、当該孔を利用することが可能となる。従って、アキュムレータ取り付けのために新たな通路をポンプハウジングに設ける必要がないので、吐出経路を簡素化することが可能となる。
【００１０】
また、このようにポンプハウジングにアキュムレータを配設する場合において、プランジャがポンプハウジングとは別体のシリンダ内に収容されている場合においては、前記一つのプランジャを収容するシリンダの軸方向のポンプハウジングに対する固定は、アキュムレータのポンプハウジングへの取り付けポート部の端面を利用して行なうようにするとよい。この場合、アキュムレータの取り付けポート部の端面を、シリンダのシャフトに対して径外方向側の端面に直接当接させてもよいし、両端面が所定距離離間している場合には、両端面間に、両者を互いに離間させる方向に付勢力を発生する弾性体を挿入することにしてもよい。このようにすれば、ポンプハウジングとは別体のシリンダをポンプハウジングに対して固定する際に、ポンプハウジングにかしめ処理を施したり、シリンダを固定するためだけに余分な高価な固定部材を使用する必要がなくなるので、コストを削減することが可能となる。
【００１１】
【発明の実施の形態】
以下、本発明の実施の形態を、図面を用いて説明する。まず、図１及び図２を用いて、本発明に係るラジアルプランジャポンプの実施形態を含んだポンプ−モータ組み立て体についての機械的構成について簡単に説明する。なお、図１は、本発明に係るラジアルプランジャポンプを含んだポンプ−モータ組み立て体の軸方向の主要断面図であり、図２は、図１におけるＡ−Ａ断面の拡大図である。
【００１２】
図1及び図２において、ポンプ−モータ組み立て体は、大略的には、ラジアルプランジャポンプ１と、アキュムレータ２１と、ブラシモータ３から構成されている。まず、ラジアルプランジャポンプ１の機械的構成から説明する。ポンプハウジング５には、一端開口の段付円筒孔５ａが形成されており、段付円筒孔５ａ内には、互いに並列に圧入固定されたベアリング１１，１３を介してシャフト９が回転可能に支持されている。ベアリング１３の図１において左側にはオイルシール５３が圧入固定されており、かかるオイルシール５３は、ポンプハウジング５内の作動流体のブラシモータ３側への流出を防止している。
【００１３】
シャフト９には、偏心部９ａが一体的に設けられており、かかる偏心部９ａの外周には、ベアリング１５が配設されている。このベアリング１５の外周面には、後述するプランジャ１９のシャフト径内方向側端面が当接するようになっている。
【００１４】
シャフト９の偏心部９ａの周りには、プランジャ１９が同一面上（プランジャの配置面）に１２０°等配にて放射状に配置されている。かかる３本のプランジャ１９は、それぞれシリンダ１７内に設けられた段付円筒孔１７ａ内にて摺動可能に収容されており、かかる３本のシリンダ１７は、ポンプハウジング５に設けられた段付円筒孔５ｂ内にそれぞれ収容されている。以下、説明の便のため、プランジャ１９及びシリンダ１７等についての説明は、図２において上下方向に位置しているものにのみ着目して行なう。他の２本も機械的構成において同一である。
【００１５】
プランジャ１９には、軸方向に通路１９ａが、軸に直角方向に通路１９ｂが設けられており、これら通路１９ａ、１９ｂは互いに連通されている。通路１９ｂは、ポンプハウジング５の段付円筒孔５ａ内の空間とも連通しており、かかる段付円筒孔５ａ内の空間は、ポンプハウジング５内に設けられた通路４７を介して、吸込みパイプ４５と連通している。従って、吸込みパイプ４５は、通路４７、段付円筒孔５ａ内の空間、通路１９ｂを介して通路１９ａと連通している。
【００１６】
プランジャ１９のシャフト径外方向側端面側には、リテーナ２９が固設されており、リテーナ２９内には、ボール３１が収容されている。リテーナ２９は、ボール２９の脱落を防止している。ボール３１は、プランジャ１９のシャフト径外方向側端面に形成されている弁座面と当接・離間可能になっている。従って、プランジャ１９、ボール３１、及びリテーナ２９とにおいて、いわゆるチェック弁が形成されており、かかるチェック弁は、通路１９ａ内からシリンダ１７内の空間４９への作動流体の流れは許容するが、その逆の流れを禁止している。
【００１７】
同様に、シリンダ１７内には、通路４９とボール３９、及びシリンダ１７の外周面に固設されたリテーナ４１とにより第２チェック弁が形成されており、かかる第２チェック弁は、空間４９から、ポンプハウジング５の段付円筒孔５ｂ内の空間５１への作動流体の流れは許容するが、その逆の流れを禁止している。この空間５１は、ポンプハウジング５に設けられた通路２７を介して吐出ポート２５と連通している。ここで、通路２７、及び吐出ポート２５は、プランジャ１９の配置面上に設けられている。
【００１８】
シリンダ１７のシャフト径内方向側端面には、スプリング３３の一端が当接しており、スプリング３３の他端は、プランジャ１９のシャフト径内方向側のフランジ部に当接している。従って、プランジャ１９はスプリング３３の付勢力により、シリンダ１７に対して常時シャフト径内方向側へ付勢されている。これにより、プランジャ１９のシャフト径内方向側端面は、常時ベアリング１５の外周面と当接している。
【００１９】
３本のシリンダ１７の第２チェック弁部は、それぞれ連通路４３，４３にて連通されており、従って、これら３本のシリンダ１７（プランジャ１９）の吐出側は、それぞれ連通されているとともに、ポンプハウジング５の段付円筒孔５ｂ内の空間５１、通路２７を介して吐出ポート２５と連通している。この連通路４３，４３も、３本のプランジャ１９の配置面上に設けられている。
【００２０】
アキュムレータ２１は、その取り付けポート部２１ａが、Ｏリング２３を介してポンプハウジング５の段付円筒孔５ｂに挿入されることにより、ポンプハウジング５に対して液密的に固定されている。プランジャ１９の吐出側に連通している空間５１は、取り付けポート部２１ａ内に設けられている通路２１ｂを介してアキュムレータ内部と連通しており、アキュムレータ２１は、空間５１内、ひいては吐出ポート２５内の作動流体の液圧を蓄圧することができるようになっている。なお、アキュムレータ２１の機械的構成は周知であるので、ここではその詳細な説明を省略する。
【００２１】
アキュムレータ２１の取り付けポート部２１ａの先端面と、シリンダ１７（図２において上下方向に延在しているもののみ）のシャフト径外方向側端面との間には、スプリング３５が狭持されており、かかるスプリング３５の付勢力により、シリンダ１７（図２において上下方向に延在しているもののみ）は、図２において下方向へ付勢され、シリンダ１７の角部１７ｂとポンプハウジング５の段付円筒孔５ｂの段部５ｃとが当接することにより、シリンダ１７（図２において上下方向に延在しているもののみ）は、ポンプハウジング５に対して軸方向に固定されている。なお、他の２つのシリンダ１７は、ポンプハウジング５のかしめ部５をかしめることにより、ポンプハウジング５に対して軸方向に固定されている。
【００２２】
ブラシモータ３は、ポンプハウジング５の図１において左方から挿入され、固定されている。その際、モータシャフト７の先端部の凸部７ａと、ポンプ側のシャフト９の図１において左側先端部の凹部９ｂとが互いに係合するようになっており、これにより、ブラシモータ３のモータシャフト７の回転力が、ポンプ側のシャフト９へ伝達されるようになっている。ブラシモータ３の機械的構成は、周知であるので、ここではその詳細な説明を省略する。
【００２３】
以上、本発明に係るラジアルプランジャポンプを含んだポンプ−モータ組み立て体についての機械的構成を説明した。次に、かかるポンプーモータ組み立て体の作動について説明する。図示しないモータ制御装置により、ブラシモータ３が駆動されると、そのモータシャフト７の回転駆動力は、ポンプ側のシャフト９へ伝達され、シャフト９は回転する。シャフト９の回転により、シャフト９の偏心部９ａが回転すると、その偏心部９ａとともに偏心しているベアリング１５もシャフト９に対して公転する。３本のプランジャ１９のシャフト径内方向側端面は、常にベアリング１５の外周面と接しているので、かかるベアリング１５の公転により３本のプランジャ１９は、シリンダ１７に対してそれぞれ往復運動する。この往復運動により、それぞれのプランジャ１９に設けられたチェック弁及びシリンダ１７に設けられた第２チェック弁が作動し、両チェック弁がポンプ作用を行なうことにより、吸込みパイプ４５から吸込まれた作動流体は、通路４７、段対円筒孔５ａ内の空間、通路１９ｂ、通路１９ａ、空間４９、通路３７、（通路４３）、空間５１、及び通路２７を介して吐出ポート２５へと吐出され、図示しない外部の制御対象へと伝達されることになる。
【００２４】
以上説明したような、本発明に係るラジアルプランジャポンプの実施形態によれば、吐出ポート２５は、複数のプランジャ１９の配置面上に設けられているので、前述した従来技術のように、複数のプランジャの配置面と吐出ポートとのオフセット分だけ、ポンプハウジングのシャフトの軸方向の長さが長くなってしまうということがなくなり、かかるオフセット分だけポンプハウジング５のシャフト９の軸方向の長さを短縮化することができる。
【００２５】
また、複数のプランジャ１９の各々の吐出側同士を連通する連通路４３，４３も、複数のプランジャ１９の配置面上に設けられているので、吐出経路の全てを、プランジャ１９の配置面上にて構成することができ、吐出経路の構成を簡素化することが可能となる。
【００２６】
さらには、ポンプハウジング５に配設されたアキュムレータ２１は、一つのプランジャ１９と同軸上にポンプハウジング５に配設されているので、アキュムレータ２１もプランジャ１９の配置面上に構成されることになり、アキュムレータ２１を配設することによりポンプハウジング５のシャフト９の軸方向の長さが長くなることがない。また、アキュムレータ２１を一つのプランジャ１９と同軸上にポンプハウジング５に配設することにより、アキュムレータ２１の取り付けのために新たな通路をポンプハウジング５に設ける必要がないので、吐出経路を簡素化することが可能となる。
【００２７】
また、一つのプランジャ１９を収容するシリンダ１７の軸方向のポンプハウジング５に対する固定は、アキュムレータ２１のポンプハウジングへの取り付けポート部２１の端面に配設されたスプリング３５の付勢力を利用して行なっているので、ポンプハウジング５とは別体のシリンダ１７をポンプハウジング５に対して固定する際に、図２において上下方向に延在するシリンダ１７以外の２つのシリンダのように、ポンプハウジング５にかしめ処理を施こす必要がなくなる。従って、製造コストを削減することが可能となる。この場合、アキュムレータ２１の取り付けポート部２１ａの端面を、シリンダ１７のシャフトに対して径外方向側の端面に直接当接させてもよいことはいうまでもない。
【００２８】
なお、以上説明した本発明に係るラジアルプランジャポンプの実施形態において、プランジャ（又はシリンダ）の本数は、３本に限定されるものではないし、ポンプの駆動源であるモータを、ブラシモータではなくブラシレスモータやいわゆるＳＲモータ等を使用してもよいこともいうまでもない。
【００２９】
【発明の効果】
以上説明したように、本発明によれば、ポンプハウジングにおけるシャフトの軸方向の長さを短縮可能であり、吐出経路の構成を簡素化可能なラジアルプランジャポンプを提供することが可能となる。
【図面の簡単な説明】
【図１】本発明に係るラジアルプランジャポンプを含んだポンプ−モータ組み立て体の軸方向の主要断面図である。
【図２】図１におけるＡ−Ａ断面の拡大図である。
【符号の説明】
５  ポンプハウジング
９  シャフト
１７  シリンダ
１９  プランジャ
２１  アキュムレータ
２１ａ  取り付けポート部
２５  吐出ポート
４３  連通路
【図１】
0005050297.tif 000002
【図２】
0005050297.tif 000003